(57)【要約】【課題】安定した溶着性能を得られる溶着装置を提供する。【解決手段】溶着装置は、加熱部を備え、シートを所定の位置まで搬送して加熱部によりシートを溶着するハンドラ１と、加熱部の温度を検知する温度センサーと、温度センサーの検知温度が設定温度になるように加熱部の温度を調整するとともに、処理開始指示に応じて、ハンドラ１によるシートの搬送および溶着を繰り返し行わせる溶着処理を実行し、該溶着処理の開始前および終了後は、ハンドラ１を停止する制御部３０と、を有する。制御部３０は、溶着処理の開始前、および、溶着処理の開始から第１の所定時間が経過するまでは、設定温度を第１の設定値に設定し、第１の所定時間の経過後に、設定温度を第１の設定値より低い第２の設定値に変更する。【選択図】図１
2015066848.tif 000002
【特許請求の範囲】
【請求項１】
加熱部を備え、シートを所定の位置まで搬送して前記加熱部により前記シートを溶着するハンドラと、
前記加熱部の温度を検知する温度センサーと、
前記温度センサーの検知温度が設定温度になるように前記加熱部の温度を調整するとともに、処理開始指示に応じて、前記ハンドラによるシートの搬送および溶着を繰り返し行わせる溶着処理を実行し、該溶着処理の開始前および終了後は、前記ハンドラを停止する制御部と、を有し、
前記制御部は、第１の設定値および該第１の設定値より低い第２の設定値を保持しており、前記溶着処理の開始前、および、前記溶着処理の開始から第１の所定時間が経過するまでは、前記設定温度を前記第１の設定値に設定し、前記第１の所定時間の経過後に、前記設定温度を前記第１の設定値から前記第２の設定値に変更する、溶着装置。
【請求項２】
前記第１又は第２の設定値は、前記加熱部による前記シートの溶着が可能な溶着許容温度範囲内に設定されており、前記第２の設定値は、前記溶着許容温度範囲の上限および下限の中間の値である、請求項１に記載の溶着装置。
【請求項３】
前記制御部は、前記溶着処理の開始後、前記温度センサーの検知温度の下降から上昇への変化を検出し、該変化の検出時点を前記第１の所定時間が経過した時点と判断する、請求項１又は２に記載の溶着装置。
【請求項４】
前記制御部は、前記第２の設定値より低い第３の設定値をさらに保持しており、前記溶着処理の終了の第２の所定時間前の時点で、前記設定温度を前記第２の設定値から前記第３の設定値に変更する、請求項１乃至３に記載の溶着装置。
【請求項５】
前記第３の設定値は、前記加熱部による前記シートの溶着が可能な溶着許容温度範囲内に設定されている、請求項４に記載の溶着装置。
【請求項６】
前記制御部は、前記溶着処理における未処理の工数が予め設定された値になった時点を前記第２の所定時間前の時点と判断する、請求項４又は５に記載の溶着装置。
【請求項７】
前記制御部は、前記溶着処理の終了後、第３の所定時間が経過するまでは、前記第３の設定値を維持する、請求項４乃至６に記載の溶着装置。
【請求項８】
前記制御部は、前記溶着処理の終了後、前記温度センサーの検知温度の上昇から下降への変化を検出し、該変化の検出時点を前記第３の所定時間が経過した時点と判断する、請求項７に記載の溶着装置。
【請求項９】
前記制御部は、前記溶着処理中に、停止指示に応じて前記ハンドラを停止する場合は、前記設定温度を前記第３の設定値に設定する、請求項４乃至８のいずれか１項に記載の溶着装置。
【請求項１０】
加熱部を備え、シートを所定の位置まで搬送して前記加熱部により前記シートを溶着するハンドラを有する溶着装置にて行われる溶着方法であって、
温度センサーにより前記加熱部の温度を検知し、
前記ハンドラを停止した状態で、前記温度センサーの検知温度が第１の設定温度になるように前記加熱部の温度を調整し、
前記調整により前記加熱部の温度が前記第１の設定温度で維持された状態で処理開始指示を受けると、前記ハンドラによるシートの搬送および溶着を繰り返し行わせる溶着処理を実行し、
前記溶着処理の開始から所定時間が経過するまでは、前記温度センサーの検知温度が前記第１の設定温度になるように前記加熱部の温度を調整し、
前記所定時間の経過後は、前記温度センサーの検知温度が前記第１の設定温度より低い第２の設定温度になるように前記加熱部の温度を調整する、溶着方法。
【発明の詳細な説明】
【技術分野】
【０００１】
本発明は、シートを溶着する溶着装置および溶着方法に関する。
【背景技術】
【０００２】
電子部品の小型化、高品質化、安全性が求められる中、電流の流れる端子間などを確実に絶縁する部材として、樹脂シートなどが用いられている。この樹脂シートの位置ズレや溶着不良は、ショートなど重度な事故の原因となる。このため、樹脂シートの位置合わせや溶着を確実に行うことが要求されている。
【０００３】
特許文献１、２には、２枚以上の樹脂シートを重ね合わせて溶着することが開示されている。この樹脂シートの溶着には、例えば、樹脂シートを搬送する機構と、樹脂シート同士を溶着させる機構とが別々に設けられた溶着装置が用いられる。
【０００４】
上記溶着装置では、搬送機構が樹脂シートを溶着位置まで搬送し、樹脂シートが搬送機構から離れた後に、溶着機構が樹脂シートを溶着する。
【０００５】
しかし、上記溶着装置においては、樹脂シートが搬送機構から離れる際に、樹脂シートの位置ズレが生じることがあるため、樹脂シートの位置合せを高精度に行うことは困難である。また、搬送機構と溶着機構との切り替え動作は、生産性を低下させ、製造コストを増大させる。
【０００６】
そこで、搬送機構と溶着機構を一体化したハンドラを備えた溶着装置が提案されている。この溶着装置では、ハンドラは、第１のステージ上の第１の樹脂シートを第２のステージ上まで移動し、第１の樹脂シートを第２のステージ上の第２の樹脂シートと位置合わせし、その後、第１の樹脂シートを第２の樹脂シートに重ねて溶着する。この場合、搬送機構と溶着機構とを切り替える必要がないため、上述した樹脂シートの位置ズレや生産性の低下の問題は生じない。
【０００７】
なお、通常、上記溶着装置においては、ヒータの溶着性能を安定させるために、ヒータの温度が所定の設定温度になるように温度制御を行う。
【０００８】
別の温度制御の例として、特許文献３には、間欠的に加熱処理を行うヒータの温度制御方法が記載されている。この温度制御方法では、加熱処理直後の温度上昇特性や自然放熱によるヒータの温度下降特性を予め求めておく。温度下降特性に基づいて、前回のシール処理の終了から今回のシール処理の開始までの期間におけるヒータの下降温度を予測し、温度上昇特性に基づいて、予測した下降温度から今回のシール処理の開始直前にシール適正温度に達するまでの加熱時間を求めて、ヒータを加熱する。
【０００９】
特許文献３に記載の温度制御は、上記ハンドラを備えた溶着装置に適用することができる。
【先行技術文献】
【特許文献】
【００１０】
【特許文献１】特開平９−２１３３７７号公報
【特許文献２】特開平７−３０２６１６号公報
【特許文献３】特開２００３−３４１６２６号公報
【発明の概要】
【発明が解決しようとする課題】
【００１１】
しかし、上述のハンドラを備えた溶着装置においては、搬送時に生じる気流による冷却作用によりヒータが冷えたり、搬送停止後は、搬送時の気流による冷却作用がなくなるために、ヒータの温度が過剰に上昇したりする。このため、ヒータの温度が所定の設定温度になるように温度制御を行うだけでは、以下のような問題が生じる。
【００１２】
図６は、製品を処理していないスタンバイ状態（ハンドラ停止中）から、複数の製品を連続で処理する製品処理（溶着処理）を実行し、再び、スタンバイ状態に戻るまでの間における温度制御を説明するための図である。
【００１３】
図６において、製品処理中は、ハンドラは第１および第２のステージの間を往復して樹脂シートの溶着を繰り返す。ヒータ温度Ｔ３は、温度センサーにより検知したヒータの温度の変化を示す。温度上限および温度下限はそれぞれ、溶着許容温度範囲の上限および下限と対応する。ヒータ設定温度Ｔ４は、上限および下限の中間の値（規格中心）である。
【００１４】
スタンバイ状態（ハンドラ停止中）では、ヒータの温度がヒータ設定温度Ｔ４になるように温度制御（フィードバック制御）を行う。これにより、ヒータ温度Ｔ３はヒータ設定温度Ｔ４で維持される。
【００１５】
ところが、製品処理中は、ハンドラの搬送動作により生じた気流によりヒータが冷却されるため、ヒータ温度Ｔ３は溶着許容温度範囲の下限より低い温度まで一時的に下降する。その後、暫くするとフィードバック制御により、ヒータ温度Ｔ３は上昇する。ハンドラの往復動作が、ほぼ一定周期で規則的に行われていれば、気流による冷却作用とヒータの温度制御が均衡し、ヒータの温度はほぼヒータ設定温度Ｔ４で保たれる。その後、製品処理が終了し、ハンドラが停止すると、気流による冷却作用がなくなるため、ヒータ温度は一時的に上昇する。
【００１６】
上記ヒータの温度変化では、製品処理開始直後、ヒータ温度が溶着条件の許容範囲の下限より低い温度まで低下するため、溶着不足状態になるといった問題を生じる。
【００１７】
特許文献３に記載の温度制御を上記ハンドラを備えた溶着装置に適用した場合は、ハンドラの搬送動作により、ヒータの加熱条件や自然放熱の状態が変わるため、ヒータ単体の加熱や自然放熱特性だけでは、安定した溶着性能を得ることができない。
【００１８】
なお、ヒータを小型化し、熱容量を小さくすることにより、温度制御の応答性を速めてヒータ温度の安定化を図ることができる。しかし、この場合は、樹脂シートのような広い溶着面積を網羅するためには、ヒータと熱電対などの温度測定機構、および温度を制御する機器が数多く必要となり、高価な機構となってしまう。
【００１９】
本発明の目的は、上記問題を解決し、安定した溶着性能を提供することができる溶着装置および溶着方法を提供することにある。
【課題を解決するための手段】
【００２０】
上記目的を達成するため、本発明の一態様によれば、
加熱部を備え、シートを所定の位置まで搬送して前記加熱部により前記シートを溶着するハンドラと、
前記加熱部の温度を検知する温度センサーと、
前記温度センサーの検知温度が設定温度になるように前記加熱部の温度を調整するとともに、処理開始指示に応じて、前記ハンドラによるシートの搬送および溶着を繰り返し行わせる溶着処理を実行し、該溶着処理の開始前および終了後は、前記ハンドラを停止する制御部と、を有し、
前記制御部は、第１の設定値および該第１の設定値より低い第２の設定値を保持しており、前記溶着処理の開始前、および、前記溶着処理の開始から第１の所定時間が経過するまでは、前記設定温度を前記第１の設定値に設定し、前記第１の所定時間の経過後に、前記設定温度を前記第１の設定値から前記第２の設定値に変更する、溶着装置が提供される。
【００２１】
また、本発明の別の態様によれば、
加熱部を備え、シートを所定の位置まで搬送して前記加熱部により前記シートを溶着するハンドラを有する溶着装置にて行われる溶着方法であって、
温度センサーにより前記加熱部の温度を検知し、
前記ハンドラを停止した状態で、前記温度センサーの検知温度が第１の設定温度になるように前記加熱部の温度を調整し、
前記調整により前記加熱部の温度が前記第１の設定温度で維持された状態で処理開始指示を受けると、前記ハンドラによるシートの搬送および溶着を繰り返し行わせる溶着処理を実行し、
前記溶着処理の開始から所定時間が経過するまでは、前記温度センサーの検知温度が前記第１の設定温度になるように前記加熱部の温度を調整し、
前記所定時間の経過後は、前記温度センサーの検知温度が前記第１の設定温度より低い第２の設定温度になるように前記加熱部の温度を調整する、溶着方法が提供される。
【発明の効果】
【００２２】
本発明によれば、安定した溶着性能を提供することができ、溶着状態の品質安定化を図ることができる。
【図面の簡単な説明】
【００２３】
【図１】本発明の一実施形態である溶着装置の構成を示すブロック図である。
【図２】図１に示す溶着装置のハンドラを正面から見たときの外観図である。
【図３】図１に示す溶着装置のヒータの温度制御に係る構成の一例を示すブロック図である。
【図４】図１に示す溶着装置にて行われる温度制御を説明するための図である。
【図５】図１に示す溶着装置にて行われる設定温度変更手順を示すフローチャートである。
【図６】搬送機構と溶着機構を一体化したハンドラを備えた溶着装置にて行われる温度制御を説明するための図である。
【発明を実施するための形態】
【００２４】
次に、本発明の実施形態について図面を参照して説明する。
【００２５】
図１は、本発明の一実施形態である溶着装置の構成を示すブロック図である。
【００２６】
図１を参照すると、溶着装置は、樹脂シート２１が供給されるステージ７と、樹脂シート２２が供給されるステージ８と、ステージ７上の樹脂シート２１をステージ８まで搬送し、樹脂シート２１と樹脂シート２２とを正確に位置合わせして溶着するハンドラ１と、温度センサー３ａ〜３ｄ（不図示）と、入力部４０と、ステージ７、８およびハンドラ１を制御する制御部３０とを有する。
【００２７】
入力部４０は、ボタンやキーボードなどの入力手段よりなり、操作者による入力操作に応じた信号を制御部３０に供給する。制御部３０は、入力部４０を介して操作者による入力操作を受け付ける。例えば、操作者は、入力部４０を使用して、溶着処理の開始を指示することができ、また、溶着処理に必要な情報（処理工数、溶着時間、ヒータの設定温度など）を含む様々な情報を入力することができる。
【００２８】
ステージ７、８はそれぞれ、上面に吸着機構を有している。外部シート供給装置から樹脂シート２１、２２がステージ７、８に供給される。樹脂シート２１はステージ７の吸着機構により吸着され、樹脂シート２２はステージ８の吸着機構により吸着される。
【００２９】
ハンドラ１は、ＸＹＺ方向に移動可能な搬送部１ａと、シートを吸着する吸着部１１と、搬送部１ａの４つの側面に設けられた４つのヒータ２ａ〜２ｄとを有する。吸着部１１は、底面にシートを吸着するための吸着機構を備える。
【００３０】
図２に、ハンドラ１を正面（ヒータ２ｃの側）から見たときの外観図を示す。
【００３１】
図２に示すように、吸着部１１は可動部２０を介して搬送部１ａに取り付けられている。ヒータ２ａ、２ｂ、２ｃはそれぞれ、可動部２１ａ、２１ｂ、２１ｃを介して搬送部１ａに取り付けられている。なお、図２には示されていないが、ヒータ２ｄも、可動部２１ｄを介して搬送部１ａに取り付けられている。
【００３２】
可動部２０、２１ａ、２１ｂ、２１ｃ、２１ｄは、例えばバネ状の可動手段よりなる。可動部２０の可動方向は、吸着部１１の底面に垂直な方向（Ｚ方向）である。可動部２１ａ〜２１ｄの可動方向もＺ方向である。可動部２０により、吸着部１１のＺ方向における高さ（樹脂シートからの高さ）を調整することができ、可動部２１ａ〜２１ｄにより、ヒータ２ａ〜２ｄそれぞれのＺ方向における高さ（樹脂シートからの高さ）を調整することができる。
【００３３】
吸着部１１およびヒータ２ａ〜２ｄの高さ関係は、吸着部１１が最も低い。ヒータ２ａ、２ｂ、２ｃ、２ｄの高さは、略同じである。樹脂シートを溶着する際は、吸着部１１およびヒータ２ａ〜２ｄの全てが樹脂シートに接触する高さまで搬送部１ａが下降する。このとき、可動部２０、２１ａ、２１ｂ、２１ｃ、２１ｄが縮むことで、吸着部１１およびヒータ２ａ〜２ｄの全てが樹脂シートに接触することが可能となっている。この状態で、ヒータ２ａ〜２ｄにより樹脂シートを溶着する。
【００３４】
ここで、樹脂シートを溶着する際のステージ７、８およびハンドラ１の動作について簡単に説明する。
【００３５】
まず、搬送部１ａがステージ７上に移動する。そして、搬送部１ａは、吸着部１１がシート２１に接触する高さまで下降する。このとき、ヒータ２ａ、２ｂ、２ｃ、２ｄは、樹脂シート２１と接触しない。
【００３６】
搬送部１ａの下降後、吸着部１１が樹脂シート２１を吸着する。吸着部１１が樹脂シート２１を吸着した後、ステージ７による樹脂シート２１の吸着を解除する。これにより、樹脂シート２１のハンドラ１への受け渡しが可能になる。
【００３７】
ステージ７による樹脂シート２１の吸着を解除した後、搬送部１ａは上昇し、ステージ８上へ移動し、ステージ８上の樹脂シート２２と吸着部１１に吸着された樹脂シート２１との位置合わせを行う。そして、樹脂シート２１がステージ８上の樹脂シート２２に重ね合わされ、かつ、吸着部１１とヒータ２ａ、２ｂ、２ｃ、２ｄの全てが重ね合わされた樹脂シート２１、２２（以下、被溶着体とも呼ぶ）に接触する高さまで、搬送部１ａが下降する。このとき、吸着部１１は可動部２０の縮みにより、ヒータ２１ａ、２１ｂ、２１ｃ、２１ｄはそれぞれ可動部２１ａ、２１ｂ、２１ｃ、２１ｄの縮みにより、被溶着体（樹脂シート２１、２２）に接触する。この状態で、ヒータ２ａ〜２ｄにより樹脂シート２１、２２を溶着する。溶着時のヒータ温度は、樹脂シートの材料によって決定されるが、生産性の観点から、例えば、溶着時間が数ｍｓ〜数百ｍｓといった短時間で溶着できるような温度に設定することが望ましい。
【００３８】
ヒータ２ａ、２ｂ、２ｃ、２ｄと被溶着体との接触後から予め求めた溶着条件に基づいた溶着時間経過後、吸着部１１による樹脂シート２２の吸着を解除する。そして、吸着部１１とヒータ２ａ、２ｂ、２ｃ、２ｄの全てが樹脂シート２１と樹脂シート２２の溶着体から離れる高さまで、搬送部１ａが上昇する。
【００３９】
ステージ８による樹脂シート２２の吸着を解除する。これにより、樹脂シート２１、２２の溶着体の外部シート排出装置への受け渡しが可能となる。
【００４０】
再び、図１を参照した説明に戻る。
【００４１】
制御部３０は、搬送部１ａの移動制御、吸着部１１の吸着および吸着解除、ヒータ２ａ〜２ｄの温度制御、ヒータ２ａ〜２ｄの溶着時間の測定と制御、ステージ７、８の吸着および吸着解除を行う。ヒータ２ａ〜２ｄの温度制御には、ヒータのオンオフ制御（通電時間の制御）を行う方式やヒータに供給される電力量（または電流量）を制御する方式などを適用することができる。前者の方式には、例えば、サーモスタットやサイリスタによる温度制御がある。
【００４２】
図３に、ヒータの温度制御に係る構成の一例を示す。
【００４３】
図３に示すように、温度センサー３ａ〜３ｄはそれぞれ、ヒータ２ａ〜２ｄの温度を検知し、検知温度を示す値を出力する。温度センサー３ａ〜３ｄの出力は、制御部３０に供給されている。
【００４４】
制御部３０は、温調器３１、記憶部３２およびタイマ３３を有する。記憶部３２には、温度設定値Ｓ１〜Ｓ３（Ｓ１＞Ｓ２＞Ｓ３）が保持されている。温度設定値Ｓ１〜Ｓ３は、樹脂シート２１、２２の溶着条件を満たす溶着許容温度範囲内である。
【００４５】
温度設定値Ｓ２は、例えば、溶着許容温度範囲の上限値および下限値の中間（規格中心）の値としてもよい。また、温度設定値Ｓ１は、溶着許容温度範囲の上限値からある程度マージンを持った値にすることが望ましい。同様に、温度設定値Ｓ３は、溶着許容温度範囲の下限値からある程度マージンを持った値にすることが望ましい。
【００４６】
なお、樹脂シートの溶着では、溶着温度と溶着時間で決まる一定の許容範囲がある。溶着温度の許容範囲は、樹脂シート溶融温度以上であり、上限値は溶着時間によるが一般的には３０℃〜５０℃程度である。一方、溶着時間は、数十ｍｓから数秒の範囲である。一般的に高速な溶着処理を実現するためには、可能な限り高い溶着温度で短い溶着時間にすることが望ましい。
【００４７】
制御部３０は、温度センサー３ａ〜３ｄの検知温度がそれぞれ設定温度になるようにヒータ２ａ〜２ｄの温度制御を行うとともに、入力部４０からの処理開始指示に応じて、ハンドラ１によるシートの搬送および溶着を繰り返し行わせる溶着処理を実行し、該溶着処理の開始前および終了後は、ハンドラ１を停止する。
【００４８】
上記温度制御において、温調器３１は、溶着処理の開始前に、設定温度を温度設定値Ｓ１に設定し、溶着処理の開始後、所定時間を経過した後に、設定温度を温度設定値Ｓ１から温度設定値Ｓ２に変更する。また、温調器３１は、溶着処理の終了の所定時間前の時点で、設定温度を温度設定値Ｓ２から温度設定値Ｓ３に変更する。さらに、温調器３１は、溶着処理の終了後、所定時間を経過した後に、設定温度を温度設定値Ｓ３から温度設定値Ｓ１に変更する。
【００４９】
温調器３１は、溶着処理の開始後の温度設定値Ｓ１から温度設定値Ｓ２への変更タイミングを、処理開始からの経過時間または溶着回数または温度センサーの出力の変化（微分値の変化）のいずれかから判断する。また、温調器３１は、溶着処理の終了前の温度設定値Ｓ２から温度設定値Ｓ３への変更タイミングを溶着回数（処理工数）から判断する。また、温調器３１は、溶着処理の終了後の温度設定値Ｓ３から温度設定値Ｓ１への変更タイミングを処理終了からの経過時間または温度センサーの出力の変化（微分値の変化）のいずれかから判断する。
【００５０】
なお、制御部３０は、温度センサー３ａ〜３ｄ、ステージ７、８、ハンドラ１の動作（搬送部１ａやヒータ２ａ〜２ｄの動作）を監視し、いずれかに異常が発生した場合は、アラームを発生するように構成されている。溶着処理中に、アラームを発生した場合は、温調器３１は、アラームの発生（停止指示）に応じて、強制的に設定温度を温度設定値Ｓ１に設定する。また、溶着処理中に、入力部４０または外部装置からハンドラ１を停止する旨の信号（停止指示）を受信した場合も、温調器３１は、強制的に設定温度を温度設定値Ｓ１に設定する。
【００５１】
以下に、上記温度制御を具体的に説明する。
【００５２】
図４は、スタンバイ状態から、複数の製品を連続で処理する製品処理（溶着処理）を実行し、再び、スタンバイ状態に戻るまでの間における温度制御を説明するための図である。ここでは、ヒータ２ａの温度制御を例に説明する。
【００５３】
図４において、時間４２は、製品処理を実行中の期間を示す。時間４１は、製品処理開始前のスタンバイ状態の期間を示し、時間４３は、製品処理終了後のスタンバイ状態になるまでの期間を示す。時間４１および時間４３の期間は、ハンドラ１が停止している。時間４２の期間は、ハンドラ１による樹脂シートの搬送および溶着が繰り返し行われる。
【００５４】
ヒータ温度Ｔ１は、ヒータ２ａの温度の変化を示す。このヒータ２ａの温度の変化は、温度センサー３ａの出力の変化と対応する。矩形波状の太線で示したヒータ設定温度Ｔ２は、温度設定値Ｓ１〜Ｓ３の間の変更タイミングを示す。温度上限および温度下限はそれぞれ、溶着許容温度範囲の上限および下限と対応する。
【００５５】
処理開始後時間４４は、製品処理開始後の、温度設定値Ｓ１から温度設定値Ｓ２への変更タイミングを与えるための時間である。処理終了前時間４５は、製品処理中の温度設定値Ｓ２から温度設定値Ｓ３への変更タイミングを与えるための時間である。処理終了後時間４６は、製品処理終了後の、温度設定値Ｓ３から温度設定値Ｓ１への変更タイミングを与えるための時間である。
【００５６】
なお、処理開始後時間４４は、処理開始後、ヒータ温度Ｔ１が最小となる時間とするのが一般的である。また、処理終了前時間４５は、処理中にヒータ出力を停止させた場合でも予熱により溶着条件を満たす最大の時間に設定するのが一般的である。また、処理終了後時間４６は、ハンドラ１の停止後、ヒータ温度Ｔ１が上昇して下降に転じる時間を設定するのが一般的である。
【００５７】
図４を参照すると、時間４１の期間において、温調器３１は、ヒータ２ａの設定温度Ｔ２を温度設定値Ｓ１に設定する。そして、温調器３１は、温度センサー３ａの検知温度が温度設定値Ｓ１になるようにヒータ２ａの温度を調整する。この調整により、ヒータ２ａの温度Ｔ１が温度設定値Ｓ１に対応する温度で維持されたスタンバイ状態になる。
【００５８】
上記スタンバイ状態において、制御部３０は、処理開始指示を受け付けると、製品処理を開始する。製品処理中の期間が時間４２である。温調器３１は、処理開始タイミングでタイマ３３を起動し、処理開始後からの経過時間を計測する。
【００５９】
タイマ３３により計測した経過時間が処理開始後時間４４に達するまで、温調器３１は、ヒータ２ａの設定温度Ｔ２を温度設定値Ｓ１で維持する。この維持期間において、製品処理中は、ハンドラ１による樹脂シートの搬送および溶着のために、ヒータ２ａが冷却される。この冷却作用により、ヒータ２ａの温度Ｔ１が下降する。
【００６０】
ヒータ２ａの温度Ｔ１が温度下限に達する前に、タイマ３３により計測した経過時間が処理開始後時間４４に達する。経過時間が処理開始後時間４４に達すると、温調器３１は、ヒータ２ａの設定温度Ｔ２を温度設定値Ｓ１から温度設定値Ｓ２に変更し、温度センサー２ａの検知温度が温度設定値Ｓ２になるようにヒータ２ａの温度を調整する。この制御により、ヒータ２ａの温度Ｔ１が上昇し、温度設定値Ｓ２に対応する温度で維持される。
【００６１】
製品処理の終了前、処理終了前時間４５になったタイミングで、温調器３１は、ヒータ２ａの設定温度Ｔ２を温度設定値Ｓ２から温度設定値Ｓ３に変更し、温度センサー２ａの検知温度が温度設定値Ｓ３になるようにヒータ２ａの温度を調整する。この調整により、ヒータ２ａの温度Ｔ１が下降する。
【００６２】
なお、温調器３１は、製品処理における処理工数（溶着回数）が予め与えられている。温調器３１は、その処理工数（溶着回数）に基づいて製品処理が終了するまでの時間を予測し、タイマ３３により計測した処理開始からの経過時間と予測した終了時間とに基づいて処理終了前時間４５になるタイミングを判断することができる。
【００６３】
処理終了前時間４５の期間は、ヒータ２ａの設定温度Ｔ２を温度設定値Ｓ３で維持するために、ヒータ２ａの温度Ｔ１がさらに下降するが、ヒータ２ａの温度Ｔ１が温度下限に達する前に、製品処理が終了する。
【００６４】
製品処理が終了すると、温調器３１は、タイマ３３をリセットして再起動し、処理終了後からの経過時間を計測する。
【００６５】
タイマ３３により計測した経過時間が処理終了後時間４６に達するまで、温調器３１は、ヒータ２ａの設定温度Ｔ２を温度設定値Ｓ３で維持する。この維持期間において、ハンドラ１は停止しているため、上述した樹脂シートの搬送および溶着による冷却作用は生じない。よって、ヒータ２ａの温度Ｔ１が上昇する。
【００６６】
ヒータ２ａの温度Ｔ１が温度上限に達する前に、タイマ３３により計測した経過時間が処理終了後時間４６に達する。経過時間が処理終了後時間４６に達すると、温調器３１は、ヒータ２ａの設定温度Ｔ２を温度設定値Ｓ３から温度設定値Ｓ１に変更し、温度センサー２ａの検知温度が温度設定値Ｓ１になるようにヒータ２ａの温度を調整する。この調整により、ヒータ２ａの温度Ｔ１が下降し、温度設定値Ｓ１に対応する温度で維持されたスタンバイ状態になる。
【００６７】
上記のヒータ２ａの温度制御と同様に、温調器３１は、ヒータ２ｂ〜２ｄの温度制御を行う。
【００６８】
なお、上述した温度制御において、温調器３１は、タイマ３３を用いずに、温度設定値Ｓ１〜Ｓ３の変更タイミングを決定することもできる。
【００６９】
例えば、温調器３１は、製品処理の開始後、温度センサーの検知温度の下降から上昇への変化を検出し、該変化の検出時点を処理開始後時間４４の経過時点と判断し、設定温度Ｔ２を温度設定値Ｓ１に設定してもよい。
【００７０】
また、ハンドラ１によるシートの搬送および溶着の繰り返しの工数（溶着回数）を記憶部３２に保持させ、温調器３１は、記憶部３２に保持した工数と実行工数とから未処理の工数を算出し、未処理の工数が予め設定された値になった時点を処理終了前時間４５になった時点と判断し、設定温度Ｔ２を温度設定値Ｓ１から温度設定値Ｓ２に変更してもよい。
【００７１】
また、温調器３１は、製品処理の終了後、温度センサーの検知温度の上昇から下降への変化を検出し、該変化の検出時点を処理終了後時間４６の経過時点と判断し、設定温度Ｔ２を温度設定値Ｓ３から温度設定値Ｓ１に変更してもよい。
【００７２】
次に、設定温度変更手順について具体的に説明する。
【００７３】
図５は、設定温度変更手順を示すフローチャートである。以下、図４および図５を参照して設定温度変更手順を説明する。
【００７４】
まず、温調器３１は、設定温度Ｔ２を温度設定値Ｓ１に設定し、温度センサーの検知温度が温度設定値Ｓ１になるようにヒータの温度を調整する（ステップ６０）。この調整により、ヒータの温度が温度設定値Ｓ１の温度で維持された状態（スタンバイ状態）になる。
【００７５】
次に、制御部３０は、処理開始指示を受け付けたか否かを判断する（ステップ６１）。処理開始指示を受け付けていない場合は、ステップ６０へ移行する。処理開始指示を受け付けた場合は、制御部３０は、製品処理（溶着処理）を開始する。
【００７６】
製品処理開始後、温調器３１は、処理開始後時間４４が経過したか否か（または、温度センサーの検知温度が下降から上昇へ切り替わった否か）を判断する（ステップ６２）。
【００７７】
ステップ６２の判定結果が「Ｙｅｓ」の場合は、温調器３１は、設定温度Ｔ２を温度設定値Ｓ２に設定し（温度設定値Ｓ１から温度設定値Ｓ２への変更）、温度センサーの検知温度が温度設定値Ｓ２になるようにヒータの温度を調整する（ステップ６３）。
【００７８】
次に、温調器３１は、処理終了前時間４５になったか否か（または、未処理の工数が所定値に達したか否か）を判断する（ステップ６４）。
【００７９】
ステップ６４の判定結果が「Ｙｅｓ」の場合は、温調器３１は、設定温度Ｔ２を温度設定値Ｓ３に設定し（温度設定値Ｓ２から温度設定値Ｓ３への変更）、温度センサーの検知温度が温度設定値Ｓ３になるようにヒータの温度を調整する（ステップ６５）。ステップ６４の判定結果が「Ｙｅｓ」の場合は、ステップ６３へ移行する。
【００８０】
製品処理が終了すると、温調器３１は、処理終了後時間４６が経過したか否か（または、温度センサーの検知温度が上昇から下降へ切り替わった否か）を判断する（ステップ６６）。
【００８１】
ステップ６６の判定結果が「Ｙｅｓ」の場合は、ステップ６０へ移行する。ステップ６６の判定結果が「Ｎｏ」の場合で、次の製品処理の開始指示を受けると（ステップ６７）、ステップ６１へ移行する。
【００８２】
なお、製品処理中に何らかの異常により処理が終了した場合には、直ちにステップ６０に遷移する。ただし、この場合は、制御部３０は、予め設定した時間が経過するまで、製品処理の開始を禁止する。予め設定した時間が経過後、制御部３０は、製品処理を再開する。ここで、何らかの異常とは、アラームの発生（停止指示）や、入力部４０または外部装置からの停止指示を含む。
【００８３】
上述の設定温度変更手順は、ヒータ２ａ〜２ｄのそれぞれについて行われる。
【００８４】
上述した本実施形態の溶着装置によれば、以下のような作用効果を奏する。
【００８５】
図６に示した温度制御では、製品処理開始直後に、ヒータ温度が溶着温度許容範囲の下限より低い温度まで低下するために、溶着不足になるといった問題がある。これに対して、本実施形態の溶着装置によれば、動作状況に応じて設定温度を適宜に切り替えることにより、ハンドラの搬送による冷却作用によるヒータ温度の変化を最小限に抑えることができるため、安定した溶着性能を提供することができる。これにより、最適な溶着条件で樹脂シートを溶着することができ、溶着状態の品質安定化を図ることができる。
【００８６】
また、図６に示した温度制御では、ハンドラ停止後に、ヒータ温度が溶着温度許容範囲の上限より高い温度まで上昇するため、製品処理終了直後に、製品処理を開始する、または、製品処理を一時停止した直後に製品処理を再開すると、溶着温度許容範囲の上限より高い温度で樹脂シートを溶着することなり、溶着過多の状態になるといった問題がある。これに対して、本実施形態の溶着装置によれば、ハンドラの停止後のヒータ温度の変化を最小限に抑えることができるため、製品処理終了直後に、製品処理を開始する、または、製品処理を一時停止した直後に製品処理を再開する場合でも、最適な条件で樹脂シートを溶着することができ、溶着状態の品質安定化を図ることができる。
【００８７】
さらに、特別な機構を追加する必要もないので、低コスト化を図ることもできる。
【００８８】
なお、本実施形態の溶着装置において、ハンドラ１の加熱部は４つのヒータ２ａ〜２ｄよりなるが、これに限定されない。加熱部のヒータの数は１つまたは複数である。
【００８９】
また、制御部３０は、入力部４０からの開始指示に応じて溶着処理（製品処理）を実行するようになっているが、開始指示は、外部装置から供給されてもよい。
【００９０】
さらに、ステージ７、８がそれぞれ、樹脂シート２１、２２が供給されると、その旨を示す信号（開始指示に対応するトリガー）を制御部３０に供給し、制御部３０が、ステージ７、８からの信号をともに受信すると、溶着処理（製品処理）を実行するようにしてもよい。
【００９１】
また、４つのヒータ２ａ〜２ｄに対して４つの温度センサー３ａ〜３ｄを用いているが、これに限定されない。１つまたは複数のヒータに対して、１つまたは複数の温度センサーを設けてもよい。例えば、４つのヒータ２ａ〜２ｄのいずれかに対して、１つ温度センサーを設けてもよい。
【００９２】
また、可動部２０、２１ａ、２１ｂ、２１ｃ、２１ｄは、バネ状の可動手段に限定されない。例えば、エアシリンダ等、上下方向の移動が可能な手段であれば、どのような可動手段を用いてもよい。
【００９３】
本発明は、溶着可能な部材（シート状のもの）を所定の位置まで搬送して溶着する装置全般に適用することができる。ただし、溶着可能な部材同士を溶着する場合は、それら部材はほぼ同じ融点を有することが望ましい。
【符号の説明】
【００９４】
１  ハンドラ
１ａ  搬送部
２ａ〜２ｄ  ヒータ
３ａ〜３ｄ  温度センサー
７、８  ステージ
１１  吸着部
３０  制御部
４０  入力部
【図１】
2015066848.tif 000003
【図２】
2015066848.tif 000004
【図３】
2015066848.tif 000005
【図４】
2015066848.tif 000006
【図５】
2015066848.tif 000007
【図６】
2015066848.tif 000008